(57)【要約】【課題】発光表示される指針の見栄え向上を容易に図ることができる表示装置を提供すること。【解決手段】光源５からの光を入射して表示板３の前面３ａで回動する指針１０の指針部１２に向けて光を出射する出射面部２５と、光源５からの光を入射して指針部１２と表示板３との間に向けて光を反射し、ムーブメント４の出力軸４ａを中心とする円状エリアを照明する傾斜面部２６とを有し、且つ中心軸部にこの出力軸４ａが貫通する円筒状導光部材２０を光源５と指針部１２に形成された反射部１４ａとの間に配置した。【選択図】図２
2009250888.tif 000002
【特許請求の範囲】
【請求項１】
基板と、該基板の前面側に配置されると共に指標部が形成された表示板と、ムーブメントにより回動可能にされると共に前記指標部を指示する指針と、光源とを備え、
前記指針が、前記ムーブメントの出力軸と同軸方向に延び且つ前記表示板を貫通する回動軸と、該回動軸の先端部から前記表示板に沿って延びる指針部と、該指針部の基部に位置すると共に前記光源から照射された光をこの指針部の先端部に向けて反射する反射部とを有した表示装置であって、
前記光源からの光を入射して前記指針部に向けてその入射した光を出射する出射面部と、前記光源からの光を入射して前記指針部と前記表示板との間に向けて光を反射し、前記出力軸を中心とする円状エリアを照明する傾斜面部とを有し、且つ中心軸部に前記出力軸が貫通する円筒状導光部材を、前記光源と前記反射部との間に配置したことを特徴とする表示装置。
【発明の詳細な説明】
【技術分野】
【０００１】
本発明は、内部に設けられた光源によって発光表示される指針を備えた表示装置に関するものである。
【背景技術】
【０００２】
従来から、基板の前面側に配置された表示板の指標部を指示する指針に、表示板の背面側に配置された光源からの光を照射し、指針を発光表示させる表示装置が知られている（例えば、特許文献１参照）。
【０００３】
この表示装置では、光源は指針を回動させるムーブメント近傍に配置されており、光源からの光は指針の回動中心である基部から入射するようになっている。そして、入射した光は指針内を反射しつつ指針全体を発光表示させる。
【０００４】
ここで、指針の輝度ムラを防止するために、指針の基部から入射した光を先端部に向けて反射する反射部が形成されたものが考えられている。
【特許文献１】特開２００７−２７１４２６号公報
【発明の開示】
【発明が解決しようとする課題】
【０００５】
ところで、上述の表示装置では、指針自体を発光表示させる構造であり、指針の回動中心である基部の周囲を発光させるためには複雑な構造を必要とするので、容易に見栄えの向上を図ることができなかった。
【０００６】
そこで、この発明は、発光表示される指針の見栄え向上を容易に図ることができる表示装置を提供することを課題としている。
【課題を解決するための手段】
【０００７】
上記課題を解決するために、この発明に係る表示装置は、基板と、該基板の前面側に配置されると共に指標部が形成された表示板と、ムーブメントにより回動可能にされると共に前記指標部を指示する指針と、光源とを備え、前記指針が、前記ムーブメントの出力軸と同軸方向に延び且つ前記表示板を貫通する回動軸と、該回動軸の先端部から前記表示板に沿って延びる指針部と、該指針部の基部に位置すると共に前記光源から照射された光をこの指針部の先端部に向けて反射する反射部とを有し、前記光源からの光を入射して前記指針部に向けてその入射した光を出射する出射面部と、前記光源からの光を入射して前記指針部と前記表示板との間に向けて光を反射し、前記出力軸を中心とする円状エリアを照明する傾斜面部とを有し、且つ中心軸部に前記出力軸が貫通する円筒状導光部材を、前記光源と前記反射部との間に配置したことを特徴としている。
【発明の効果】
【０００８】
この発明によれば、光源と反射部との間に、光源からの光を指針に向けて出射する出射面部と、指針部と表示板との間に向けて光を反射して出力軸を中心とした円状エリアを照明する傾斜面部とを有する円筒状導光部材を配置している。
【０００９】
そのため、傾斜面部によって反射した光により、指針部と表示板との間、すなわち指針の回動中心の周囲を取り囲むように照明することができ、指針を発光表示する際に見栄えの変化を持たせて、容易に見栄え向上を図ることができる。
【００１０】
また、導光部材は、光源からの光の一部を傾斜面部によって反射させ、光の一部を出射面部によって指針に向けて出射するので、簡易な構成で指針及び指針部と表示板との間を同時に発光することができると共に、それぞれの輝度の調整によって指針を浮かび上がらせるような照明効果を得ることも可能である。
【発明を実施するための最良の形態】
【００１１】
本発明に係る表示装置の最良の実施の形態について、図面に基づいて説明する。
【００１２】
図１に示す表示装置１は、車両のインストルメントパネルに取り付けられる車速メータ等に使用されるものであり、基板２と、この基板２の前面側に配置された表示板３と、表示板３の前面３ａ側で回動可能な指針１０とを備えている。
【００１３】
基板２は、プリント基板（プリント配線板）であり、背面２ａ側に指針１０を回動させるムーブメント４が実装され、前面２ｂ側に複数の光源５、…が実装され、さらにムーブメント４の出力軸４ａが貫通する貫通孔２ｃが形成されている。ここで、複数の光源５，…のうちの一部の光源５は、この貫通孔２ｃ近傍に配設されている。
【００１４】
表示板３は、無色透明な合成樹脂材料により形成されており、前面３ａ側に図示しない白色の透光塗料を印刷した後、指標部Ｔ（図３参照）となる箇所を除いて図示しない黒色の遮光塗料が印刷（白抜き印刷）されている。これにより、指標部Ｔが表示板３を透過する光によって白色に発光表示されることとなる。
【００１５】
さらに、この基板２と表示板３との間には、反射部材６が狭持されている。この反射部材６は、両端が開放した円筒部６ａと、この円筒部６ａの基部外周面６ｂから次第に拡径した状態で外方に広がる第一反射体６ｃと、円筒部６ａと同心であって、この円筒部６ａを取り囲む第二反射体６ｄとを有している。
【００１６】
円筒部６ａの内側には、上記出力軸４ａが挿入されると共に、この出力軸４ａ近傍に配置された複数の光源５，…が配設される。また、第一反射体６ｃと第二反射体６ｄとの間にも複数の光源５，…が配設される。
【００１７】
指針１０は、無色透明な合成樹脂材料により形成されており、出力軸４ａと同軸方向に延びてこの出力軸４ａに固定される回動軸１１と、回動軸１１の先端部１１ａから表示板３に沿って延びる指針部１２とを有している。ここで、回動軸１１の先端部１１ａは、表示板３に形成された軸穴３ｂ（図２参照）を貫通している。
【００１８】
指針部１２は、表示板３と平行に延びる下面１３ａと、基部１２ａから先端部１２ｂに向かうにつれて次第に表示板３に近接するように傾斜した上面１３ｂとを有する薄板形状を呈している。
【００１９】
さらに、この指針部１２の基部１２ａには、後述する天光り防止部材１５が装着される空隙１４が形成されている。この空隙１４は、ここでは側面視ほぼ台形形状を呈しており、空隙１４を囲う面の一部が反射部１４ａとなっている。
【００２０】
この反射部１４ａは、光源５から照射された光を指針部１２の先端部１２ｂに向けて反射するものであり、指針部１２の下面１３ａから上面１３ｂに向かうにつれて次第に先端部１２ｂ側に傾斜している。これにより、この反射部１４ａにあたった光は先端部１２ｂに向かって屈曲する。
【００２１】
また、天光り防止部材（不透明部）１５は、乳白色の不透明な合成樹脂材料により形成されており、空隙１４内に嵌着可能な大きさとなっている。そして、この天光り防止部材１５は、反射部１４ａの前面側にもほぼ密着しており、反射部１４ａを透過した光を遮光するようになっている。
【００２２】
なお、この天光り防止部材１５は、完全遮光するものではなく、僅かに光が透過するようになっている。そのため、この天光り防止部材１５を透過した僅かな光は、指針部１２の基部１２ａを発光表示することとなる。
【００２３】
そして、円筒部６ａの内部には、出力軸４ａ及び指針１０の回動軸１１が貫通した導光部材（円筒状導光部材）２０が設けられている。
【００２４】
この導光部材２０は、無色透明な合成樹脂材料により形成され、両端部が開放した円筒形状を呈している。そして、外周面２０ａには、反射部材６の円筒部６ａの内周面に突設された環状係合部７と係合するフランジ部２１が形成されている。
【００２５】
これにより、導光部材２０は、基板２との間に間隙を空けた状態で円筒部６ａ内に保持され、この導光部材２０が、出力軸４ａの近傍に配置された光源５，…と、指針部１２の基部１２ａに形成された反射部１４ａとの間に配置されることとなる。
【００２６】
また、フランジ部２１が環状係合部７の前面７ａ（図２参照）側と係合すると、この導光部材２０は、指針部１２に対向した一方の端部２２が表示板３の前面３ａよりも突出する。
【００２７】
さらに、この導光部材２０は、光源５に対向する他方の端部２３に、光源５からの光が入射する入射面部２４が形成され、表示板３の前面３ａよりも突出した端部２２に、光源５からの光を指針部１２に向けて出射する出射面部２５と、光源５からの光を指針部１２と表示板３との間に向けて反射させる傾斜面部２６とが形成されている。
【００２８】
なお、この入射面部２４，出射面部２５，傾斜面部２６は、それぞれ導光部材２０の全周にわたって環状に形成されている。
【００２９】
そして、入射面部２４は基板２とほぼ平行になっており、この入射面部２４から入射した光は導光部材２０内に入射する。
【００３０】
一方、出射面部２５は、指針部１２の下面１３ａとほぼ平行になっており、この出射面部２５から出射した光は指針部１２内に入射する。
【００３１】
また、傾斜面部２６は、出射面部２５の内側、すなわち導光部材２０の内周面２０ｂ側に形成されており、指針部１２に向かうにつれてこの内周面２０ｂを次第に拡径するように傾斜されている。なお、この傾斜面部２６の傾斜角度は、指針部１２に形成された反射部１４ａとほぼ同じ傾斜角度となっている。
【００３２】
さらに、この傾斜面部２６は、正面視（指針１０を図１に示す矢印Ａ方向から見たとき）において、天光り防止部材１５と重複する位置に形成されている。
【００３３】
次に、本発明に係る表示装置１の作用を説明する。
【００３４】
この表示装置１では、複数の光源５，…を点灯すると、円筒部６ａの内側に配設された光源５，５からの光は、導光部材２０の入射面部２４からこの導光部材２０内に入射する。
【００３５】
そして、導光部材２０内の光の一部は、出射面部２５から出射される。この出射面部２５から出射した光は、図２において矢印Ｘで示すように、指針部１２に向かい、この指針部１２内に入射する。そして、指針部１２内に入射した光は、指針部１２の上面１３ｂから出射すると共に、内部で反射しながら先端部１２ｂに向かうこととなる。これにより、指針部１２の上面１３ｂ全体が発光表示される。
【００３６】
さらに、導光部材２０内の光の一部は、傾斜面部２６によって反射され、図２において矢印Ｙで示すように、指針部１２と表示板３との間の空間Ｓ（図２参照）に向けて出射される。
【００３７】
これにより、指針部１２と表示板３との間の空間Ｓ、すなわち出力軸４ａ及び指針１０の回動軸１１を中心とする円状エリアＸ（図３参照）を照明することができる。そして、指針１０を発光表示する際に見栄えの変化を容易に持たせ、見栄え向上を図ることができる。
【００３８】
つまり、上記円筒形状の導光部材２０を光源５と反射部１４ａとの間に配置したことにより、一つの光源５からの光によって指針１０を発光表示すると同時に、指針部１２と表示板３との間の空間Ｓを照明することができ、簡易な構成で見栄えの向上を図ることが可能となる。
【００３９】
また、傾斜面部２６によって反射されずにこの傾斜面部２６を透過した光は、図２において一点鎖線矢印Ｚで示すように、指針部１２に入射した後に、この指針部１２に形成された反射部１４ａによって反射される。
【００４０】
さらに、反射部１４ａによって反射されずにこの反射部１４ａを透過した光は、天光り防止部材１５によって遮光される。なお、ここで、天光り防止部材１５は完全遮光するものではないため、この天光り防止部材１５を透過した僅かな光は指針部１２の上面１３ｂから出射される（図示せず）。
【００４１】
そして、このとき、傾斜面部２６は正面視において天光り防止部材１５と重複する位置に形成されているが、この天光り防止部材１５によって遮光される光は、傾斜面部２６によりあらかじめほとんど空間Ｓに向かって反射される。
【００４２】
そのため、最終的に天光り防止部材１５によって遮光される光はほとんど存在せず、光源５からの光を無駄なく利用することが可能となる。
【００４３】
さらに、上述の実施の形態では、導光部材２０は、一端２２において光源５からの光の一部を出射面部２５によって指針部１２に向けて出射し、一部を傾斜面部２６によって反射させている。
【００４４】
そのため、出射面部２５と傾斜面部２６との面積等を調整することにより、指針１０の輝度と指針部１２と表示板３との間の空間Ｓの輝度とを容易に異ならせることが可能となる。そして、この輝度の調整により、例えば指針１０を浮かび上がらせるような照明効果を得ることもできる。
【００４５】
なお、上述の実施の形態では、傾斜面部２６は導光部材２０の全周にわたって形成されており、図３に示すように、この傾斜面部２６によって指針部１２の基部１２ａを中心に全方向（３６０°）に向けて照明している。
【００４６】
ここで、傾斜面部２６を形成する範囲を調整することで、導光部材２０に入射した光を出力軸４ａ及び指針１０の回動軸１１を中心とする円状エリアの任意の部分を照明することができ、さらに見栄えの向上を図ることができる。
【００４７】
さらに、光源５の光量を調整することで、円状エリアの大きさ（照明領域）の調整を行うことも可能となる。
【図面の簡単な説明】
【００４８】
【図１】本発明に係る表示装置を示す断面図である。
【図２】本発明に係る表示装置の要部を拡大した断面図である。
【図３】本発明に係る表示装置を示す正面図である。
【符号の説明】
【００４９】
１                表示装置
３                表示板
４                ムーブメント
４ａ              出力軸
５                光源
１０              指針
１２              指針部
１４ａ            反射部
２０              円筒状導光部材
２５              出射面部
２６              傾斜面部
【図１】
2009250888.tif 000003
【図２】
2009250888.tif 000004
【図３】
2009250888.tif 000005